(57)【要約】【課題】  ＤＶＤ等の記録再生装置を含む液晶表示装置の各制御回路基板構成及びその配置構成について工夫を加えることにより、セットの小型化と、小型化による廉価な液晶テレビジョンを装置提供することを目的とする。【解決手段】ＤＶＤ等の記録再生装置を搭載した液晶テレビジョン装置において、電源処理・音声映像信号処理等のアナログ制御回路が実装されているテレビジョン用回路基板と、ＤＶＤ駆動用制御回路が実装されたＤＶＤ回路用回路基板と、液晶デジタル制御回路が実装された液晶用回路基板との３枚の主要基板を液晶パネルユニットの背面に取り付けたことを特徴とする。【選択図】      図１
2005295146.tif 000002
【特許請求の範囲】
【請求項１】
ＤＶＤ等の記録再生装置を搭載した液晶テレビジョン装置において、電源処理・音声映像信号処理等のアナログ制御回路が実装されているテレビジョン用回路基板と、ＤＶＤ駆動用制御回路が実装されたＤＶＤ回路用回路基板と、液晶デジタル制御回路が実装された液晶用回路基板との３枚の主要基板を液晶パネルユニットの背面に取り付けたことを特徴とするＤＶＤ等の記録再生装置を搭載した液晶テレビジョン装置。
【請求項２】
前記テレビジョン用回路基板は紙製の片面実装基板であり、前記ＤＶＤ回路用回路基板及び前記液晶用回路基板は多層基板であることを特徴とする請求項１記載のＤＶＤ等の記録再生装置を搭載した液晶テレビジョン装置。
【請求項３】
前記液晶パネルユニットの背面にＤＶＤ記録再生装置及び前記テレビジョン用回路基板を平面的に配置し、他のスペースに前記液晶用回路基板及び前記ＤＶＤ回路用回路基板を重ねて二階建てにして配置したことを特徴とする請求項１又は請求項２記載のＤＶＤ等の記録再生装置を搭載した液晶テレビジョン装置。
【請求項４】
前記ＤＶＤ回路用回路基板を前記液晶用回路基板の上に重ねて配置し、前記ＤＶＤ記録再生装置と前記ＤＶＤ回路用回路基板とを制御信号用ケーブル及びピックアップ信号用ケーブルで直線的に接続したことを特徴とする請求項３記載のＤＶＤ等の記録再生装置を搭載した液晶テレビジョン装置。
【請求項５】
ＤＶＤ等の記録再生装置を搭載した液晶テレビジョン装置において、チューナ、電源処理機能回路部分、音声多重処理機能の回路部分、音声出力処理機能の回路部分、音声入力切替処理機能の回路部分、映像切替処理機能の回路部分、マイコン処理機能の回路部分及びメモリ部分から成るテレビジョン用回路基板と、音声信号処理機能回路部分、映像信号記憶機能回路部分、制御信号記憶機能回路部分と、ＭＰＥＧ処理機能回路部分、ピックアップ信号処理機能回路部分及びモータ制御機能回路部分から成るＤＶＤ回路用回路基板と、アナログ・デジタル変換機能回路部分、Ｉ／Ｐ変換機能回路部分及びＳＣＡＬＥＲ機能回路部分から成る映像信号変換機能回路部分から成る液晶用回路基板との３枚の主要基板を液晶パネルユニットの背面に取り付けたことを特徴とするＤＶＤ等の記録再生装置を搭載した液晶テレビジョン装置。
【発明の詳細な説明】
【技術分野】
【０００１】
本発明は、ＤＶＤ等の記録再生装置を搭載した液晶テレビジョン装置に関し、特に、ＤＶＤ及びテレビジョンの液晶表示制御装置の複数の回路基板の配置構成に特徴を有した液晶テレビジョン装置に関するものである。
【０００２】
なお、本明細書において「記録再生装置」とは、記録又は再生の機能を備えた装置若しくは記録及び再生の機能を備えた装置を言う。
【背景技術】
【０００３】
従来から、ＤＶＤ等の記録再生装置をテレビジョン装置のセット内に装備して、一つのセットでＤＶＤ再生とテレビジョン放送との両方を視聴することができる液晶テレビジョン装置は、特許文献１乃至特許文献５等によって知られている。
【０００４】
これら従来のＤＶＤ再生とテレビジョン放送との両方を視聴することができる液晶テレビジョン装置の回路基板の一般的な構成は、液晶テレビジョン装置セット内の配置される大きなユニットは、液晶表示装置、液晶デジタル制御回路とその他の電源処理・音声映像信号処理等のアナログ制御回路とが実装されている液晶・テレビジョン用回路基板、ＤＶＤ記録再生装置及びＤＶＤ駆動用制御回路が実装されているＤＶＤ用回路基板が主として装備されている。
【０００５】
【特許文献１】特開２００１−３３２０７２号公報
【特許文献２】特開平１１−１２６０３４号公報
【特許文献３】特開平９−１８２０００号公報
【特許文献４】特開平８−２２０１６号公報
【特許文献５】特開平６−２３０１５６号公報
【発明の開示】
【発明が解決しようとする課題】
【０００６】
このような、ＤＶＤ等の記録再生装置を含む液晶テレビジョン装置は、一つの液晶表示装置セットでＤＶＤ再生とテレビジョン放送の両方の視聴を楽しむことができるが、その液晶表示装置セット内には、テレビジョン用表示装置及びその制御回路基板の他、ＤＶＤの記録再生装置及びその制御回路基板をも装備しなければならないため、液晶テレビジョン装置のみの液晶表示装置セットに比べ、どうしても大型にならざるを得なかった。
【０００７】
本発明は、このような点に鑑みてなされたもので、ＤＶＤ等の記録再生装置を含む液晶表示装置の各制御回路基板構成及びその配置構成について工夫を加えることにより、セットの小型化と、小型化による廉価な液晶テレビジョンを装置提供することを目的とするものである。
【０００８】
本発明は、次のような技術的根拠をもとにしてなされたものである。
【０００９】
（１）液晶デジタル制御回路は、通常、性能面等から表裏両面を含む多層回路基板で設計をするのが通常である。
【００１０】
（２）したがって、従来技術のように、液晶デジタル制御回路とアナログ制御回路とを同一回路基板（多層回路基板）に実装しようとすると、それまで以上の大きいサイズの基板が必要となり、回路基板単価が高価になってしまう。
【００１１】
（３）  液晶デジタル制御回路とアナログ制御回路とを同一回路基板に実装すると、輻射関係のノイズの影響を受け易くなってしまう。
【００１２】
（４）以上の点を改善するために、液晶デジタル制御回路とアナログ制御回路とを分離して、液晶デジタル制御回路は多層回路基板で、アナログ制御回路は片面回路基板でそれぞれ設計しようとすると、通常、多層回路基板（液晶デジタル制御回路基板）よりも片面回路基板（電源処理・音声映像信号処理等のアナログ制御回路用基板）の方がサイズが大きいため、普通の大きさの表示制御装置セット内には収納、装備することができなくなってしまう。
【課題を解決するための手段】
【００１３】
本発明は、ＤＶＤ等の記録再生装置を搭載した液晶テレビジョン装置において、電源処理・音声映像信号処理等のアナログ制御回路が実装されているテレビジョン用回路基板と、ＤＶＤ駆動用制御回路が実装されたＤＶＤ回路用回路基板と、液晶デジタル制御回路が実装された液晶用回路基板との３枚の主要基板を液晶パネルユニットの背面に取り付けたことを特徴とする。
【００１４】
また、本発明のテレビジョン用回路基板は、紙製の片面実装基板であり、ＤＶＤ回路用回路基板及び液晶用回路基板は多層基板であることを特徴とする。
【００１５】
また、本発明は、液晶パネルユニットの背面にＤＶＤ記録再生装置及びテレビジョン用回路基板を平面的に配置し、他のスペースに液晶用回路基板及びＤＶＤ回路用回路基板を重ねて二階建てにして配置したことを特徴とする。
【００１６】
また、本発明は、ＤＶＤ回路用回路基板を液晶用回路基板の上に重ねて配置し、ＤＶＤ記録再生装置とＤＶＤ回路用回路基板とを制御信号用ケーブル及びピックアップ信号用ケーブルで直線的に接続したことを特徴とする。
【００１７】
さらに、本発明は、ＤＶＤ等の記録再生装置を搭載した液晶テレビジョン装置において、チューナ、電源処理機能回路部分、音声多重処理機能の回路部分、音声出力処理機能の回路部分、音声入力切替処理機能の回路部分、映像切替処理機能の回路部分、マイコン処理機能の回路部分及びメモリ部分から成るテレビジョン用回路基板と、音声信号処理機能回路部分、映像信号記憶機能回路部分、制御信号記憶機能回路部分と、ＭＰＥＧ処理機能回路部分、ピックアップ信号処理機能回路部分及びモータ制御機能回路部分から成るＤＶＤ回路用回路基板と、アナログ・デジタル変換機能回路部分、Ｉ／Ｐ変換機能回路部分及びＳＣＡＬＥＲ機能回路部分から成る映像信号変換機能回路部分から成る液晶用回路基板との３枚の主要基板を液晶パネルユニットの背面に取り付けたことを特徴とする。
【発明の効果】
【００１８】
以上のように、本発明によれば、ＤＶＤ再生とテレビジョンとの両方を視聴することができる液晶テレビジョンの表示制御装置セット内のスペースを有効に使い、性能面における支障が生じない回路基板を配置、装備ができるので、従来技術における問題点、及び欠点を解消することができる。
【００１９】
すなわち、（１）デジタル制御回路とアナログ制御回路とを分離して独立した回路基板に実装したので、輻射関係のノイズを防止することができる。
【００２０】
（２）デジタル制御回路を実装する回路基板を表裏両面を含む多層回路基板にしたので、この回路基板の大きさを減じることができ、液晶表示制御装置セットの小型化と廉価に貢献することができる。
【００２１】
（３）３枚の回路基板で構成されているが、各基板に実装された機能回路部分を工夫することにより全体的には回路基板構成を小型化することができ、２枚の回路基板で構成されている従来技術の液晶テレビジョン装置セットと少なくとも同程度のスペース内に収納、装備することができる。
【００２２】
（４）ＤＶＤ駆動用回路基板を液晶用回路基板の上部に重ね合わせてＤＶＤ記録再生装置と並置しているので、ＤＶＤ装置を搭載しない液晶テレビジョン単体モデルを生産するときには、ＤＶＤ用回路基板とＤＶＤ記録再生装置とを取りつけないで生産すれば、より薄型化した液晶テレビジョン単体装置ユニットを得ることができる。
【発明を実施するための最良の形態】
【００２３】
以下、本発明の実施の形態について、図面を用いて説明をする。
【００２４】
図１は、本発明の実施形態を説明するための、ＤＶＤ再生とテレビジョン放送の両方を視聴することができる液晶テレビジョン装置の液晶表示装置セットの各基板を配置した状態を示す概略図である。
【００２５】
図１において、１０は液晶テレビジョン装置の液晶表示装置セット全体を指す。１１は電源処理・音声映像信号処理等のアナログ制御回路が実装されているテレビジョン用回路基板であり、基板の種類としては紙製片面基板で安いコストで作られている。１２はＤＶＤ駆動用制御回路が実装されたＤＶＤ回路用回路基板で、多層構成となっている。１３は液晶デジタル制御回路が実装された液晶用回路基板であり、これも多層構成となっている。１４はＤＶＤ記録再生装置、１５は液晶パネルユニットである。１６、１６は左右のスピーカである。
【００２６】
本発明の実施形態によれば、まず、ＤＶＤ等の記録再生装置を搭載した液晶テレビジョン装置における液晶テレビジョン用制御回路基板を、コスト面および性能面を考慮してデジタル回路基板とアナログ回路基板とに分離して設計し、電源・音声回路等のアナログ制御回路をテレビジョン用片面回路基板１１に、また、液晶デジタル制御回路を多層回路基板に、それぞれ実装し配置して表示制御装置セット内に装備する。
【００２７】
図２には、本発明における各基板の配置構成が明瞭に示されている。本発明において各基板は液晶パネルユニット１５（図中ＬＣＤと表示）の裏面に対して取り付けられた液晶パネルユニットカバー１６（図中ＬＣＤ  ＣＯＶＥＲと表示）に取り付けられる。該カバー１６には、複数の基板取り付け用のエンボス部１７、１７、１７・・・が形成され、各エンボス部１７にはネジが切られている。まず、カバー１６に対して、電源処理・音声映像信号処理等のアナログ制御回路が実装されているテレビジョン用回路基板１１（図中ＭＡＩＮ  ＰＣＢと表示）及び液晶デジタル制御回路が実装された液晶用回路基板１３（図中ＬＣＤ  ＰＣＢと表示）が取り付けられる。次いで、液晶用回路基板１３を覆う基板カバー１８のエンボス部１９、１９・・・に対してＤＶＤ駆動用制御回路が実装されたＤＶＤ回路用回路基板１２が取り付けられる。この基板カバー１８は、液晶用回路基板１３を覆うカバーの機能と同時に、ＤＶＤ回路用回路基板１２の取り付け用の機能も備えており、四隅に曲げ加工された足部２０、２０・・・を備え、該足部はＬ形に曲げられて液晶パネルユニットカバー１６にビスで取り付けられる。
【００２８】
これら各基板が配置される際の位置関係は、図２中の一点鎖線によって表現されている。すなわち、本発明の実施の形態によれば、液晶テレビジョン装置の液晶表示装置セット内には、液晶パネルユニット１５の上に、電源・音声回路等のアナログ制御回路を実装したテレビジョン用回路基板１１、液晶デジタル制御回路を実装した液晶用回路基板１３及びＤＶＤ駆動用制御回路を実装したＤＶＤ用回路基板１２の３枚の主要回路基板が装備される。
【００２９】
次に、液晶テレビジョン装置の液晶表示装置セット内の各回路基板上の各機能回路部分の配置について説明する。まず、電源・音声回路等のアナログ制御回路を実装したテレビジョン用片面回路基板１１の回路配置については、このテレビジョン用回路基板１１は紙製片面回路基板で設計されているものであるが、従来技術における多層回路基板で設計した多層回路基板に実装されていた「液晶デジタル制御機能の回路部分」を除いた「電源・音声回路等のアナログ制御機能の回路部分」を実装するものであるから、その回路基板のサイズは、従来技術における前記液晶・テレビジョン用回路基板のサイズより大きくはならず、従来技術における液晶テレビジョン装置セット内の配置とほぼ同じスペースで配置することができる。つまり、従来のサイズの液晶表示パネルユニットの裏面に搭載できるサイズで納まるものとなる。
【００３０】
電源・音声回路等のアナログ制御回路を実装したテレビジョン用片面回路基板１１の具体的な各機能回路部分の配置図を図３に示す。このアナログ回路基板１１は、紙製の片面基板で安価に作るものとし、基板端面には、デジタルオーディオ出力端子１１９、アンテナ入力端子１２０、ＤＣ入力端子１２１、デジタルＲＧＢ入力端子１２２、ＡＶ入力端子１２３、Ｓ入力端子１２４及びコンポーネント入力端子１２５の各入出力端子が配置されている。そして、チューナ１１１（図中（ア）と表示）がアンテナ入力端子１２０の近傍に横に寝かせて配置されている。トランスや多くのコンデンサ等（図示なし）の電源処理機能回路部分１２６（図中（チ）と表示）は、ＤＣ入力端子１２１及びデジタルＲＧＢ入力端子１２２の近傍で、基板の端面近くに配置されている。電源処理機能回路部分１２６の後方には、音声多重処理機能の回路部分１１２（図中（イ）と表示）、音声出力の回路部分１１４（図中（エ）と表示）及び音声出力処理機能の回路部分１１５（図中（オ）と表示）が配置されている。また、ＡＶ入力端子１２３、Ｓ入力端子１２４及びコンポーネント入力端子１２５の近傍には、音声入力切替処理機能の回路部分１１３（図中（ウ）と表示）及び映像切替処理機能の回路部分１１６（図中（カ）と表示）が配置され、その後方には、マイコン処理機能の回路部分１１７（図中（キ）と表示）及びメモリ部分１１８（図中（ク）と表示）が配置されている。
【００３１】
なお、参考までに、１４インチ液晶テレビジョン装置に用いる実際の基板の外形寸法を入れてあるが、本発明を限定する目的ではない。図２中ハッチング部分は、部品が搭載されないエリアを示し、ネジが描かれている部分はねじ止めの印であり、基板を取り付けるためのものである（他の部においても同じ）。また、基板内のコネクタ部分に（１）、（２）、（３）及び（４）が付されているが、これは夫々の基板の同じ番号のコネクタを接続することを示しており、（１）はＤＶＤ信号用、（２）は液晶パネル信号用、（３）はデジタル回路基板電源用、そして（４）はバックライト電源用である。
【００３２】
そして、液晶デジタル制御回路を実装した液晶用回路基板１３及びＤＶＤ駆動制御回路を実装したＤＶＤ用回路基板１２の配置については、上記のように、テレビジョン用回路基板１１を、アナログ処理回路用の基板構成としたために、紙製で片面基板としても、従来技術におけるセット内の配置とほぼ同じスペースに配置することができるので、テレビジョン用回路基板１１を取り付けた以外の液晶表示ユニット１５の背面部分に取り付けることができる。その際は、ＤＶＤ用回路基板１２及び液晶用回路基板１３を、二階建てに重ねて配置する。これにより、液晶テレビジョン装置セットの大きさは、従来技術における液晶テレビジョン装置セットのサイズより大きくなることはない。
【００３３】
そこで、ＤＶＤ用回路基板１２と前記液晶用回路基板１３とは、テレビジョン用回路基板１１の取り付け位置以外のエキショウパネル背面のスペース内にＤＶＤ記録再生装置１４の高さより低くなるように重ね合わせて配置する。また、ＤＶＤ駆動用回路基板１２を液晶用回路基板１３の上部にして重ね合わせるように配置すれば、ＤＶＤ記録再生装置を搭載しない液晶テレビジョン単体モデルの場合には、ＤＶＤ用回路基板１２とＤＶＤ記録再生装置１４とを取り付けずに装置セットを構成することで、より薄型化した液晶テレビジョン単体装置セットを得ることができる。
【００３４】
ここで、ＤＶＤ用回路基板１２と液晶用回路基板１３との具体的な各機能回路部分の配置図を図４及び図５に示す。ＤＶＤ用回路基板１２は、多層基板で作るものとし、当該基板には音声信号処理機能回路部分２１１（図中（タ）と表示）、映像信号記憶機能回路部分２１２（図中（セ）と表示）、制御信号記憶機能回路部分２１３（図中（ス）と表示）を配置し、中央部にはＭＰＥＧ処理機能回路部分２１４（図中（ソ）と表示）を配置し、さらにピックアップ信号処理機能回路部分２１５（図中（サ）と表示）及び、モータ制御機能回路部分２１６（図中（シ）と表示）を配置している。液晶用回路基板１３は、多層基板で作るものとし、当該基板にはアナログ・デジタル変換機能回路部分、Ｉ／Ｐ変換機能回路部分及びＳＣＡＬＥＲ機能回路部分から成る映像信号変換機能回路部分３１１（図中（ケ）と表示）及び映像信号変換補助機能回路部分３１２（図中（コ）と表示）を配置している。
【００３５】
図６には、ＤＶＤ記録再生装置１４とＤＶＤ用回路基板１２との取り付け位置の関係を示している。ＤＶＤ記録再生装置１４とＤＶＤ用回路基板１２とは、ＤＶＤ記録再生装置のモータ駆動のための信号のやり取り、及び情報記録生成のための音声・画像情報等の信号のやり取りのために制御信号用ケーブル１９及びピックアップ信号用ケーブル２０で接続されている。その際に、両方のケーブル１９、２０共に直線状に配置されるように、ＤＶＤ用回路基板１２上の制御信号用ケーブル用コネクタ２１及びピックアップ信号用ケーブル用コネクタ２２がＤＶＤ記録再生装置１４側の制御信号取り出し位置及びピックアップ信号取り出し位置と整合するように配置されている。
【００３６】
本発明は、以上のような構成を有し、次のような作用効果を奏するものである。
【００３７】
（１）アナログ制御回路とデジタル制御回路とを分離して独立した回路基板に実装したことにより、輻射関係のノイズを防止することができる。
【００３８】
（２）デジタル制御回路を実装した多層回路基板と、ＤＶＤ駆動制御回路を実装した回路基板とを重ね合わせて配置したことにより、配置スペースを減じることができる。
【００３９】
（３）ＤＶＤ駆動制御回路が実装されているＤＶＤ駆動用回路基板を液晶デジタル制御回路が実装されている液晶用回路基板の上方に重ね合わせて配置したので、液晶テレビジョン単体モデルを生産する場合、ＤＶＤ駆動用回路基板を取りつけないで生産することにより、より薄型化した液晶テレビジョン単体モデル装置を得ることができる。
【図面の簡単な説明】
【００４０】
【図１】本発明の液晶テレビジョン装置セットの各基板を配置した状態を示す概略図
【図２】本発明における各基板の配置位置を示す構成図
【図３】テレビジョン用回路基板の各機能回路部分の配置図
【図４】ＤＶＤ用回路基板の各機能回路部分の配置図
【図５】液晶用回路基板の各機能回路部分の配置図
【図６】ＤＶＤ記録再生装置とＤＶＤ用回路基板１２との取り付け位置の関係を示す配置図
【符号の説明】
【００４１】
１０  液晶テレビジョン装置
１１  テレビジョン用回路基板
１２  ＤＶＤ回路用回路基板
１３  液晶用回路基板
１４  ＤＶＤ記録再生装置
１５  液晶パネルユニット
１６、１６  左右スピーカ
【図１】
2005295146.tif 000003
【図２】
2005295146.tif 000004
【図３】
2005295146.tif 000005
【図４】
2005295146.tif 000006
【図５】
2005295146.tif 000007
【図６】
2005295146.tif 000008